(57)【要約】【課題】筐体を構成する基部と鏡筒にネジ構造を不要とし、また固定のための接着剤も不要とすることのできるカメラモジュールを提供する。【解決手段】レンズ６を保持する鏡筒４と、鏡筒４を収納する収納部１１を備えた基部３とを有し、鏡筒４は外周面が基部３の収納部１１の内周面に対して当接しレンズ６の光軸方向に移動可能とされ、基部３の収納部１１は周面に開口部１４を有し、鏡筒４の外周面は開口部１４の周縁部に対して溶着する溶着部２２を有してなる。【選択図】図１
2008124777.tif 000002
【特許請求の範囲】
【請求項１】
レンズを保持する鏡筒と、該鏡筒を収納する収納部を備えた基部とを有してなるカメラモジュールにおいて、
前記鏡筒は外周面が前記基部の収納部の内周面に対して当接し前記レンズの光軸方向に移動可能とされ、前記基部の収納部は周面に開口部を有し、前記鏡筒の外周面は前記開口部の周縁部に対して溶着する溶着部を有してなることを特徴とするカメラモジュール。
【請求項２】
前記鏡筒の外周面には前記収納部の開口部の近傍位置に凹部が形成され、該凹部の周囲部が突出状の凸部を形成して前記溶着部を構成することを特徴とする請求項１記載のカメラモジュール。
【請求項３】
前記鏡筒は上端部に鍔部が形成され、該鍔部の下面には突出状に突起部が形成され、前記基部の上面には前記鏡筒の回転に伴って前記突起部が摺動する傾斜面を有したカム部が形成されることを特徴とする請求項１または２記載のカメラモジュール。
【請求項４】
前記鏡筒の溶着部は熱溶着により前記開口部の周縁部に対して溶着することを特徴とする請求項１〜３のいずれか１項に記載のカメラモジュール。
【発明の詳細な説明】
【技術分野】
【０００１】
本発明は、筐体内にレンズを納めて構成されるカメラモジュールに関し、特に鏡筒に保持されるレンズを光軸方向に調整した上で固定できるカメラモジュールに関する。
【背景技術】
【０００２】
筐体内にレンズを納めて構成されるカメラモジュールは、撮像素子を配置した基板上に筐体を設け、筐体は基板に対して固定される基部と、基部に固定されレンズを保持する鏡筒とからなっている。撮像素子において良好な画像を得るためには、レンズは撮像素子に対して光軸方向に正確な位置に配置される必要がある。このため、レンズを保持する鏡筒を基部に対して光軸方向に調整自在とし、フォーカス調整を行った上でこれらを固定する。従来はこの調整を行うために、鏡筒と基部の間をネジ構造とし、ネジ回転によって鏡筒を基部に対して光軸方向に移動させフォーカス調整を行うと共に、調整が終了したら接着剤によって両者を固定するようにしていた。このようなカメラモジュールとしては、例えば特許文献１に挙げるようなものがある。
【特許文献１】特開２００１−２９２３６５号公報
【発明の開示】
【発明が解決しようとする課題】
【０００３】
しかし、従来のカメラモジュールは、鏡筒と基部の間にネジ構造を形成する必要があるために、これらを成形する型の形状が複雑となり、成型に時間を要するなどコストを上昇させる要因となっていた。また、固定に接着剤を必要とするため、そのコストが必要となると共に、接着剤が固化するまで時間を要すると共に、その間に僅かに鏡筒が動くこともあって、歩留まりを悪化させることとなっていた。
【０００４】
本発明は上記課題を鑑みてなされたものであり、筐体を構成する基部と鏡筒にネジ構造を不要とし、また固定のための接着剤も不要とすることのできるカメラモジュールを提供することを目的とする。
【課題を解決するための手段】
【０００５】
上記課題を解決するため、本発明に係るカメラモジュールは、レンズを保持する鏡筒と、該鏡筒を収納する収納部を備えた基部とを有してなるカメラモジュールにおいて、
前記鏡筒は外周面が前記基部の収納部の内周面に対して当接し前記レンズの光軸方向に移動可能とされ、前記基部の収納部は周面に開口部を有し、前記鏡筒の外周面は前記開口部の周縁部に対して溶着する溶着部を有してなることを特徴として構成されている。
【０００６】
また、本発明に係るカメラモジュールは、前記鏡筒の外周面には前記収納部の開口部の近傍位置に凹部が形成され、該凹部の周囲部が突出状の凸部を形成して前記溶着部を構成することを特徴として構成されている。
【０００７】
さらに、本発明に係るカメラモジュールは、前記鏡筒は上端部に鍔部が形成され、該鍔部の下面には突出状に突起部が形成され、前記基部の上面には前記鏡筒の回転に伴って前記突起部が摺動する傾斜面を有したカム部が形成されることを特徴として構成されている。
【０００８】
さらにまた、本発明に係るカメラモジュールは、前記鏡筒の溶着部は熱溶着により前記開口部の周縁部に対して溶着することを特徴として構成されている。
【発明の効果】
【０００９】
本発明に係るカメラモジュールによれば、基部の収納部は周面に開口部を有し、鏡筒の外周面は開口部の周縁部に対して溶着する溶着部を有してなることにより、溶着により基部に対し位置調整された鏡筒を固定することができるので、ネジ構造や接着剤を不要とすることができて、コストの低減及び生産効率の向上を図ることができる。
【００１０】
また、本発明に係るカメラモジュールによれば、鏡筒の外周面には収納部の開口部の近傍位置に凹部が形成され、凹部の周囲部が突出状の凸部を形成して溶着部を構成することにより、治具による押圧によって容易に溶着部を形成し、鏡筒を基部に固定することができる。
【００１１】
さらに、本発明に係るカメラモジュールによれば、鏡筒の上端部に形成される鍔部の下面には突出状に突起部が形成され、基部の上面には鏡筒の回転に伴って突起部が摺動する傾斜面を有したカム部が形成されることにより、鏡筒の下面と基部の上面の簡易な構成によって鏡筒の位置合わせを容易に行うことができ、基部及び鏡筒の製造を容易にすることができると共に、鏡筒の位置調整も容易にすることができる。
【００１２】
さらにまた、本発明に係るカメラモジュールによれば、鏡筒の溶着部は熱溶着により開口部の周縁部に対して溶着することにより、熱を加えることにより容易に溶着をなすことができ、しかもすぐに固化させることができるので、溶着までの時間を短くすることができる。
【発明を実施するための最良の形態】
【００１３】
本発明の実施形態について、図面に沿って詳細に説明する。図１には本実施形態におけるカメラモジュールの断面図を示している。この図に示すように、本実施形態におけるカメラモジュールは、基板１上に筐体２を配置してなり、基板１は上面に撮像素子５が配置され、筐体２は基板１上に固定される基部３と、この基部３に固定されレンズ６を内部に保持した鏡筒４とからなっている。
【００１４】
基板１は平板状に形成されて、その上面にＣＭＯＳまたはＣＣＤからなる撮像素子５を載置している。この撮像素子５に対しては、レンズ６を介して取り込んだ撮像対象からの光が結像され、撮像素子５は受光した光を電気信号に変換して出力する。
【００１５】
筐体２を構成する基部３は、樹脂材を成形してなるものであり、下部には基板１に対する固定部となる土台部１０が、上部には鏡筒４を収納する略円筒状の収納部１１が、それぞれ形成される。収納部１１の内周下部には開口１２ａを有した底面部１２が形成されており、その上面には開口１２ａを塞ぐようにフィルタ１３が載置される。
【００１６】
また、筐体２を構成する鏡筒４は、基部３と同様に樹脂材を成形してなるものであり、その内周面２１にレンズ６を保持することができるように円筒状に形成されると共に、上端部には鍔部２３が全周に渡って形成される。レンズ６は、撮像対象からの光を集光するものであって、本実施形態では凸レンズと凹レンズを組み合わせている。ただしレンズ６の組合せはこれに限られず、１枚のレンズで構成してもよいし、３枚以上のレンズを組み合わせるものであってもよい。
【００１７】
鏡筒４の外周面２０は、基部３の収納部１１に略適合するように形成されており、収納部１１の内周面１１ａに当接する直径とされている。また、鏡筒４の外周面２０は、収納部１１の内周面１１ａに対してレンズ６の光軸方向に調整できるように移動可能となるように形成されている。
【００１８】
基部３を構成する収納部１１の周面には、周方向に複数の開口部１４が貫通状に形成されている。一方、鏡筒４の外周面２０には、開口部１４に対応する部分に溶着部２２が形成されている。溶着部２２は、開口部１４の近傍に凹状の凹部２２ａが形成され、その周囲部が盛り上がって凸部２２ｂが形成され、この凸部２２ｂが開口部１４の内周面側周縁部に溶着してなり、これによって基部３に対して鏡筒４を固定している。
【００１９】
基部３の開口部１４及び鏡筒４の溶着部２２は、最低１組あれば鏡筒４を基部３に固定することができるが、強固な固定をなすためには複数組、例えば周方向９０°毎に設けて４組を形成することが望ましい。ただし、その数は適宜設定することができる。
【００２０】
鏡筒４の上端部に形成される鍔部２３の下面には、周方向に複数の突起部２４が突出状に形成される。一方、鍔部２３が載置される基部３の上面には、傾斜面１６ａを有したカム部１６が形成されて、鏡筒４の回転に伴って突起部２４を摺動自在としている。図２には、基部３の上端付近及び鏡筒４の斜視図を示している。
【００２１】
図２に示すように、基部３の上面には、周方向１２０°毎にカム部１６が形成されている。傾斜面１６ａは、いずれも同じ方向に傾斜するように形成されており、基部３の上面から滑らかに上り傾斜状とされると共に、最高点からは直角状に形成されて段部１６ｂを構成している。
【００２２】
鏡筒４を、突起部２４がカム部１６の傾斜面１６ａ上にある状態で、その傾斜面１６ａよりも周方向に短い範囲で回転させることで、突起部２４が傾斜面１６ａ上を摺動し、これに伴って鏡筒４の基部３に対する位置を、レンズ６の光軸方向に変化させることができる。すなわち、これによってレンズ６の撮像素子５に対するフォーカス調整を行うことができる。
【００２３】
このように、基部３の上面と鏡筒４の鍔部２３の下面の摺動によって鏡筒４の基部３に対してレンズ６の光軸方向に移動可能となるように構成したことにより、鏡筒４の外周面や基部３の内周面にネジ等を形成する必要がなく、これらを簡易な形状とすることができて、成型の生産性を向上させることができる。
【００２４】
次に、このカメラモジュールの製造工程について説明する。図３には、カメラモジュールの工程毎の断面図を示している。図３（ａ）に示すように、上部開放状に形成された基部３の収納部１１に対しては、鏡筒４が上方から挿入される。この時点においては、鏡筒４の外周面２０に溶着部２２は形成されておらず、したがって鏡筒４を収納部１１に円滑に挿入することができる。
【００２５】
鏡筒４を収納部１１に挿入することで、図３（ｂ）に示す状態となる。この際に撮像素子５に通電し、レンズ６を介して結像された画像を出力しておき、その状態で前述のように鏡筒４を基部３に対して回転させる。これによって鏡筒４の鍔部２３に形成された突起部２４を基部３の上面に形成されたカム部１６の傾斜面１６ａ上で摺動させることで、鏡筒４を基部３に対してレンズ６の光軸方向に移動させ、出力された画像に基づいてピントの合う位置を探し、フォーカス調整を行う。
【００２６】
フォーカス調整を行って鏡筒４の位置が定まったら、次に図３（ｃ）に示すように、基部３の収納部１１の周面に形成された開口部１４から治具３０を挿入する。この治具３０は棒状に形成されると共に、先端部が先細状となるように形成されている。また、治具３０は少なくとも先端部が発熱するように構成されており、開口部１４から挿入されて鏡筒４の外周面２０に当接した治具３０は、発熱することで鏡筒４の当接部分を軟化させる。治具３０を鏡筒４の外周面２０位置からさらに若干挿入することで、鏡筒４の外周面２０は凹んで凹部２２ａが形成され、その周囲部は盛り上がって凸部２２ｂが形成される。これによって凸部２２ｂが開口部１４の内周側周縁部に対して密着した状態となる。
【００２７】
その状態から治具３０を取り除くと、凹部２２ａ及び凸部２２ｂは固化し、凸部２２ｂは開口部１４の内周側周縁部に対して溶着された状態となって溶着部２２を形成し、図１の状態となる。これによってフォーカス調整された鏡筒４が基部３に対して固定される。ここで、治具３０を取り除いて樹脂が固化し、溶着するまでには数秒しかかからないので、接着剤により鏡筒４と基部３を固定する場合に比べて、短い時間で固定することができ、生産効率を向上させることができると共に、固定時に鏡筒４の位置が基部３に対してずれることも防止することができる。
【００２８】
以上、本発明の実施形態について説明したが、本発明の適用は本実施形態には限られず、その技術的思想の範囲内において様々に適用されうるものである。
【図面の簡単な説明】
【００２９】
【図１】本実施形態におけるカメラモジュールの断面図である。
【図２】基部の上部及び鏡筒の分解斜視図である。
【図３】カメラモジュールの工程毎の断面図である。
【符号の説明】
【００３０】
１    基板
２    筐体
３    基部
４    鏡筒
５    撮像素子
６    レンズ
１０    土台部
１１    収納部
１２    底面部
１４    開口部
１６    カム部
１６ａ  傾斜面
２２    溶着部
２２ａ  凹部
２２ｂ  凸部
２３    鍔部
２４    突起部
【図１】
2008124777.tif 000003
【図２】
2008124777.tif 000004
【図３】
2008124777.tif 000005